(57)【要約】      （修正有）【課題】外観品質や生産性の向上を図りつつ、操作ボタンの移動時における異音の発生をより確実に防止することができる操作装置を提供する。【解決手段】操作装置は、ガイド部と、ガイド部材の内面に沿って移動可能な操作ボタン６とを備える。操作ボタン６は、樹脂製の本体部６１と、本体部６１に固定された金属製のカバー部６２とを具備する。本体部６１は、頭部６１１よりも他端側に位置する複数の凹部６１２Ａと、凹部６１２Ａ間に位置する摺動部６１２Ｂとを備える。カバー部６２は、頭部６１１の側面を覆う筒状部６２２と、本体部６１にカバー部６２を加締め固定するための複数の脚部６２３とを備える。摺動部６１２Ｂは、筒状部６２２及び脚部６２３のそれぞれの外側面よりも外側に位置し、操作ボタン６の移動時には、摺動部６１２Ｂがガイド部材の内面に沿って移動する。【選択図】図３
2016048003.tif 000002
【特許請求の範囲】
【請求項１】
所定の取付対象物の貫通孔に挿設された筒状のガイド部材と、
一端側が前記取付対象物の表面側に位置した状態で前記ガイド部材の内側に配置されるとともに、前記ガイド部材の内面に沿って移動可能に構成された操作ボタンと、
前記操作ボタンの変位を槽体の排水口に設けられた栓蓋側へと伝達する伝達部材とを備えるとともに、
前記操作ボタンは、
樹脂製の本体部と、
前記本体部の一端部に固定された金属製のカバー部とを具備し、
前記ガイド部材の内面のうち、前記カバー部の移動範囲に対応する部位の少なくとも一部が金属製とされた操作装置であって、
前記本体部は、
自身の一端側に位置する頭部と、
前記頭部よりも他端側に位置し、周方向に沿って間隔を隔てて設けられた複数の窪み状の凹部と、
前記頭部よりも他端側に位置するとともに、隣り合う前記凹部間に自身の少なくとも一部が位置する摺動部とを備え、
前記カバー部は、
前記頭部の一端面を覆い、前記取付対象物の表面側に露出する露出部と、
前記露出部の外縁部から他端側に向けて延び、前記頭部の側面を覆う筒状部と、
前記筒状部の他端部に設けられ、周方向に沿って間隔を隔てて設けられた複数の脚部とを備え、
前記本体部のうち前記凹部を形成する部位に前記脚部が加締められることで、前記本体部に前記カバー部が加締め固定されており、
前記摺動部は、前記筒状部及び前記脚部のそれぞれの外側面よりも外側に位置し、
前記操作ボタンの移動時に、前記摺動部が前記ガイド部材の内面に沿って移動するように構成されていることを特徴とする操作装置。
【請求項２】
前記本体部は、筒状をなしており、
前記本体部は、周方向に沿った前記凹部の形成位置に対応して設けられ、内側に向けて突出する内側突部を備えることを特徴とする請求項１に記載の操作装置。
【請求項３】
前記本体部は、前記頭部及び前記摺動部間に位置する段差状の肩部を備え、
前記肩部のうち前記カバー部よりも外側に位置する部位は、内側から外側に向けて、他端側に傾斜するように構成されていることを特徴とする請求項１又は２に記載の操作装置。
【請求項４】
前記本体部は、前記頭部及び前記摺動部間に位置する段差状の肩部を備え、
前記凹部は、前記本体部の他端に至る溝状をなすことを特徴とする請求項１乃至３のいずれか１項に記載の操作装置。
【請求項５】
前記ガイド部材の内面のうち少なくとも前記凹部の移動範囲に対応する部位は、円筒状をなし、
前記凹部は、前記本体部の軸方向に延びるとともに、前記本体部の他端に至る溝状をなし、かつ、
前記摺動部を含む仮想面は、円筒状をなし、
前記本体部のうち、前記凹部との間で前記本体部の軸を挟む位置には、前記摺動部が設けられることを特徴とする請求項１乃至４のいずれか１項に記載の操作装置。
【請求項６】
前記摺動部は、前記本体部の軸方向における少なくとも一部において、前記本体部の周方向に沿って連続するように構成されることを特徴とする請求項１乃至３のいずれか１項に記載の操作装置。
【発明の詳細な説明】
【技術分野】
【０００１】
本発明は、槽体の排水口に設けられる栓蓋を遠隔操作するための操作装置に関する。
【背景技術】
【０００２】
従来、栓蓋を遠隔操作し、排水口を開閉させるための操作装置として、押しボタン式のものが知られている。このような操作装置は、所定の槽体（例えば、浴槽や洗面台など）やその近傍の構造物である取付対象物に取付けられる筒状のガイド部材と、当該ガイド部材の内側に配置され、ガイド部材の軸方向に沿って往復移動可能な操作ボタンとを備えている。そして、操作ボタンは、その移動時に、自身の外面がガイド部材の内面に沿って移動するようになっている。
【０００３】
さらに、外観品質の向上を図るべく、操作ボタンを、樹脂製の本体部と、当該本体部のうち取付対象物の表面側に位置する部位を覆う金属製のカバー部とで構成する手法が提案されている。本体部をカバー部に固定（一体化）する手法としては、インサート成形により両者を固定（一体化）するものがあるが、この手法は、製造容易性や製造設備等の面でコストが嵩み、生産性に劣る。
【０００４】
そこで、生産性の向上を図るべく、前記本体部に対し、カバー部を加締め固定する手法が考えられる。当該手法において、本体部の外周には、カバー部の加締められる段差部分が形成される。当該段差部分は、本体部の一端側（取付対象物の表面側）外周を大径とし、本体部の他端側外周を小径とすることで、つまり、本体部の外周に径差を設けることで形成される（例えば、特許文献１等参照）。カバー部は、本体部の前記大径部分を覆うようにして固定される。また、加締め固定の容易性を確保すべく、本体部のうち前記段差部分よりも他端側に位置する部位は、前記段差部分よりも外側に突出しないように構成される。従って、操作ボタンにおいては、カバー部の外面が最も外側に位置することとなり、操作ボタンを移動させた際には、カバー部の外面がガイド部材の内面に沿って移動する。
【先行技術文献】
【特許文献】
【０００５】
【特許文献１】特開２０１３−２５３４２２号公報
【発明の概要】
【発明が解決しようとする課題】
【０００６】
ところで、例えば、ガイド部材の全体を金属により形成した場合など、ガイド部材の内面のうち、カバー部の移動範囲に対応する部位の少なくとも一部を金属製とすることがある。この場合において、上述のような、カバー部の外面が最も外側に位置する操作ボタンでは、操作ボタンの移動時に、カバー部の外面とガイド部材の内面（金属部分）とが擦れ合ってしまい、不快な異音が生じてしまうおそれがある。
【０００７】
本発明は、上記事情に鑑みてなされたものであり、その目的は、外観品質や生産性の向上を図りつつ、操作ボタンの移動時における異音の発生をより確実に防止することができる操作装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．所定の取付対象物の貫通孔に挿設された筒状のガイド部材と、
一端側が前記取付対象物の表面側に位置した状態で前記ガイド部材の内側に配置されるとともに、前記ガイド部材の内面に沿って移動可能に構成された操作ボタンと、
前記操作ボタンの変位を槽体の排水口に設けられた栓蓋側へと伝達する伝達部材とを備えるとともに、
前記操作ボタンは、
樹脂製の本体部と、
前記本体部の一端部に固定された金属製のカバー部とを具備し、
前記ガイド部材の内面のうち、前記カバー部の移動範囲に対応する部位の少なくとも一部が金属製とされた操作装置であって、
前記本体部は、
自身の一端側に位置する頭部と、
前記頭部よりも他端側に位置し、周方向に沿って間隔を隔てて設けられた複数の窪み状の凹部と、
前記頭部よりも他端側に位置するとともに、隣り合う前記凹部間に自身の少なくとも一部が位置する摺動部とを備え、
前記カバー部は、
前記頭部の一端面を覆い、前記取付対象物の表面側に露出する露出部と、
前記露出部の外縁部から他端側に向けて延び、前記頭部の側面を覆う筒状部と、
前記筒状部の他端部に設けられ、周方向に沿って間隔を隔てて設けられた複数の脚部とを備え、
前記本体部のうち前記凹部を形成する部位に前記脚部が加締められることで、前記本体部に前記カバー部が加締め固定されており、
前記摺動部は、前記筒状部及び前記脚部のそれぞれの外側面よりも外側に位置し、
前記操作ボタンの移動時に、前記摺動部が前記ガイド部材の内面に沿って移動するように構成されていることを特徴とする操作装置。
【００１０】
上記手段１によれば、操作ボタンにカバー部が設けられているため、外観品質の向上を図ることができる。また、本体部にカバー部を加締め固定する構成であるため、生産性の向上を図ることができる。
【００１１】
一方で、上記手段１では、ガイド部材の内面のうち、カバー部の移動範囲に対応する部位の少なくとも一部が金属製とされているため、操作ボタンの移動時における異音の発生が懸念される。この点、上記手段１によれば、樹脂製の本体部に設けられた摺動部が、筒状部及び脚部の外側面よりも外側に位置しており、操作ボタンの移動時には、摺動部がガイド部材の内面に沿って移動する。従って、操作ボタンの移動時において、操作ボタンとガイド部材とが接触したときには、樹脂部分（摺動部）がガイド部材の内面と擦れ合うこととなり、異音の発生をより確実に防止することができる。
【００１２】
さらに、上記手段１によれば、本体部のうち前記凹部を形成する部位に、周方向に沿って間隔を隔てて設けられた複数の脚部が加締められることにより、本体部にカバー部が固定される。従って、カバー部の外縁部全周を本体部に加締め固定する場合と比較して、加締め時において、カバー部や本体部に与える負荷を低減することができる。その結果、加締め時における、カバー部や本体部における損傷の発生をより確実に防止することができる。
【００１３】
尚、上記手段１によれば、結果的に、操作ボタンの一端側（取付対象物の表面側）において、操作ボタンの外面とガイド部材の内面との間に隙間が形成され得る。このとき、前記隙間を通して、操作ボタンにおける本体部（樹脂部分）が容易に視認可能となっていると、カバー部を設けることによる外観品質の向上という作用効果が十分に奏されないおそれがある。
【００１４】
この点、上記手段１では、カバー部に筒状部が設けられており、前記隙間は、筒状部の外面とガイド部材の内面との間に形成される。そして、本体部（樹脂部分）は、前記隙間（筒状部）よりも他端側（奥側）において操作ボタンの外面に露出することとなる。従って、前記隙間を通して、本体部（樹脂部分）を視認することが難しくなり、カバー部を設けることによる外観品質の向上という作用効果を十分に発揮させることができる。
【００１５】
手段２．前記本体部は、筒状をなしており、
前記本体部は、周方向に沿った前記凹部の形成位置に対応して設けられ、内側に向けて突出する内側突部を備えることを特徴とする手段１に記載の操作装置。
【００１６】
上記手段２によれば、本体部（凹部の形成部位）に対してカバー部（脚部）を加締め固定する際に、凹部の形成位置に対応して設けられた内側突部を利用することで、凹部と脚部とを精度よく位置合わせすることができる。従って、加締め工程をより容易に行うことができ、生産性を高めることができる。
【００１７】
手段３．前記本体部は、前記頭部及び前記摺動部間に位置する段差状の肩部を備え、
前記肩部のうち前記カバー部よりも外側に位置する部位は、内側から外側に向けて、他端側に傾斜するように構成されていることを特徴とする手段１又は２に記載の操作装置。
【００１８】
上述の通り、操作ボタンの一端側（取付対象物の表面側）において、操作ボタンの外面とガイド部材の内面との間には隙間が形成され得る。そして、隙間が形成されると、当該隙間を通して、ガイド部材の内側へと水が浸入することが考えられる。ここで、摺動部が筒状部等の外面よりも外側に位置するように構成すべく、本体部において頭部と摺動部との間に段差状の肩部を設けた場合には、前記隙間を通った水が肩部に対して溜まりやすくなってしまう。肩部に水が溜まりやすくなってしまうと、操作ボタン（肩部）に汚れ等が付着しやすくなってしまうおそれがある。
【００１９】
この点、上記手段３によれば、肩部のうちカバー部よりも外側に位置する部位は、内側から外側に向けて他端側に傾斜するため、肩部に水が溜まりにくくなる。そのため、操作ボタンに対する汚れ等の付着を効果的に抑制することができ、衛生性を高めることができる。また、操作ボタンに汚れ等が付着しにくくなることから、衛生性を確保するための手入れ（清掃など）を頻繁に行う必要がなくなり、手入れ頻度の低減を図ることができる。
【００２０】
手段４．前記本体部は、前記頭部及び前記摺動部間に位置する段差状の肩部を備え、
前記凹部は、前記本体部の他端に至る溝状をなすことを特徴とする手段１乃至３のいずれかに記載の操作装置。
【００２１】
上記手段４によれば、操作ボタンの一端側において、操作ボタンの外面とガイド部材の内面との間の隙間に水が浸入した場合であっても、溝状の凹部を通って、浸入した水が操作ボタンから流れ出やすくなる。従って、肩部に水が溜まってしまうことを一層確実に防止でき、ひいては衛生性をさらに高めることができる。また、汚れ等の付着抑制が一層図られることで、手入れ頻度の更なる低減を図ることができる。
【００２２】
さらに、凹部を本体部の中心軸に沿って延びる形状とすれば、本体部に対して脚部を加締めるにあたって、脚部を押圧するための加締め用の工具（パンチ等）を、本体部の他端から凹部を通るようにして、本体部の中心軸方向に移動させることができる。従って、前記工具は、本体部の中心軸方向に移動可能なものであれば足りるため、製造コストの低減を図ることができ、ひいては生産性の更なる向上を図ることができる。
【００２３】
手段５．前記ガイド部材の内面のうち少なくとも前記凹部の移動範囲に対応する部位は、円筒状をなし、
前記凹部は、前記本体部の軸方向に沿って延びるとともに、前記本体部の他端に至る溝状をなし、かつ、
前記摺動部を含む仮想面は、円筒状をなし、
前記本体部のうち、前記凹部との間で前記本体部の中心軸を挟む位置には、前記摺動部が設けられることを特徴とする手段１乃至４のいずれかに記載の操作装置。
【００２４】
凹部が本体部の軸方向に沿って延びるとともに、本体部の他端に至る溝状をなし、かつ、ガイド部材（特に凹部に対応する部位）の内面が円筒状であり、さらに、摺動部を含む仮想面が円筒状をなすように構成することがある。この場合、本体部において、２つの凹部を本体部の中心軸を挟むようにして設けると、両凹部に挟まれた位置におけるガイド部材に対する操作ボタンのガタツキ量が、両凹部で挟まれていない位置における前記ガタツキ量よりも若干大きなものとなる。そのため、操作ボタンを移動させる際の操作性が低下してしまうおそれがある。
【００２５】
この点、上記手段５によれば、本体部のうち、凹部との間で本体部の中心軸を挟む位置には、摺動部が設けられている。つまり、２つの凹部が本体部の中心軸を挟んで配置されないように構成されている。従って、ガイド部材に対する操作ボタンのガタツキ量を低減させることができ、操作性を向上させることができる。
【００２６】
手段６．前記摺動部は、前記本体部の軸方向における少なくとも一部において、前記本体部の周方向に沿って連続するように構成されることを特徴とする手段１乃至３のいずれかに記載の操作装置。
【００２７】
上記手段６によれば、摺動部は、本体部の軸方向に沿った少なくとも一部において、周方向に沿って連続する、つまり、周方向に沿って途切れることのないように構成されている。従って、ガイド部材に対する操作ボタンのガタツキ量を一層低減させることができ、操作性をより高めることができる。
【図面の簡単な説明】
【００２８】
【図１】操作装置の構成を示す一部破断正面図である。
【図２】（ａ）は操作ボタンの正面図であり、（ｂ）は操作ボタンの底面図であり、（ｃ）は操作ボタンの平面図である。
【図３】（ａ）は、図２（ｂ）のＪ−Ｊ線断面図であり、（ｂ）は、図２（ｂ）のＫ−Ｋ線断面図であり、（ｃ）は、操作ボタンの部分拡大断面図である。
【図４】（ａ）〜（ｃ）は、本体部に対するカバー部の加締め固定について説明するための図である。
【図５】別の実施形態における肩部を示す図であり、（ａ）は操作ボタンの断面図であり、（ｂ）は操作ボタンの部分拡大断面図である。
【図６】別の実施形態における凹部を示す操作ボタンの正面図である。
【発明を実施するための形態】
【００２９】
以下に、一実施形態について図面を参照しつつ説明する。図１に示すように、操作装置１は、浴槽１００（取付対象物に相当する）に設けられた水平方向に延びる上面部１０１に取付けられている。操作装置１は、ガイド部材２と、継手部材３と、操作機構４と、伝達部材５と、操作ボタン６とを備えている。
【００３０】
ガイド部材２は、その中心軸ＣＬ１方向（鉛直方向）に延び、所定の樹脂（例えば、ＰＯＭ等）により形成された筒状の接続保持部２１と、当該接続保持部２１の一端部（上端部）に固定された金属製（例えば、ステンレス製）のフランジ部２２とを備えている。
【００３１】
接続保持部２１は、外周に雄ねじ部２１１Ａの形成された円筒状部２１１と、当該円筒状部２１１の他端部（下端部）内周から径方向内側に突出形成された支持部２１２と、当該支持部２１２の内周側端部と接続された保持部２１３とを具備している。
【００３２】
円筒状部２１１は、前記上面部１０１に形成された貫通孔１０２に挿通されている。また、円筒状部２１１の内周には、一端側（上端側）に位置し内径が比較的大きなものとされた大径部２１１Ｂと、他端側（下端側）に位置し内径が前記大径部２１１Ｂの内径よりも小さなものとされた小径部２１１Ｃとが形成されている。また、大径部２１１Ｂには、径方向内側に突出する突起部２１１Ｄが形成されている。
【００３３】
支持部２１２は、保持部２１３の一端部外周と接続されており、保持部２１３を支持している。また、支持部２１２には、鉛直方向に延びる水抜孔２１２Ａが複数形成されており、ガイド部材２内に浸入した水は、前記水抜孔２１２Ａを通って継手部材３内に流れ落ちるようになっている。
【００３４】
保持部２１３は、円筒状をなしており、円筒状部２１１と同軸に配置されている。また、保持部２１３の内周には、径方向内側に突出する係止部２１３Ａが形成されており、当該係止部２１３Ａは、保持部２１３が径方向に撓み変形することによって、径方向に沿って弾性変形（移動）可能とされている。
【００３５】
フランジ部２２は、円筒状をなす被摺動部２２１と、当該被摺動部２２１の一端（上端）から径方向外側に突出する鍔部２２２とを有している。
【００３６】
被摺動部２２１は、前記大径部２１１Ｂの内周に挿通されており、前記小径部２１１Ｃとほぼ同一の内径を有している。これにより、ガイド部材２の内周面のうち、前記中心軸ＣＬ１方向において、後述する摺動部６１２Ｂ及び凹部６１２Ａの移動範囲に対応する部位の内面（被摺動部２２１から小径部２１１にかけての内周面）は、ほぼ一定の内径を有する平滑な円筒状とされている。
【００３７】
加えて、被摺動部２２１には、内周から外周に貫通する取付孔２２１Ａが形成されており、当該取付孔２２１Ａ内に前記突起部２１１Ｄが配置されている。これにより、フランジ部２２は、接続保持部２１に対して相対回転不能であり、かつ、接続保持部２１からの抜けがより確実に抑制された状態で、接続保持部２１に固定されている。
【００３８】
継手部材３は、所定の樹脂（例えば、ＡＢＳ等）により筒状に形成されており、その一端部内周に、前記雄ねじ部２１１Ａを螺合可能な雌ねじ部３Ａを備えている。そして、フランジ部２２（鍔部２２２）と継手部材３の一端面との間で上面部１０１を挟み込んだ状態で、前記雄ねじ部２１１Ａを前記雌ねじ部３Ａに螺合することにより、ガイド部材２及び継手部材３が浴槽１００（上面部１０１）に固定されている。
【００３９】
さらに、継手部材３の一端面と上面部１０１の背面との間には、弾性変形可能な材料（例えば、樹脂やゴム等）からなる環状のシール部材７が、継手部材３及び上面部１０１により挟み込まれた状態で設けられている。これにより、継手部材３及び上面部１０１間からの漏水防止が図られている。
【００４０】
また、継手部材３の他端部には、図示しない配管の一端部が接続されている。当該配管の他端部は、浴槽１００の排水口に設けられた排水管（図示せず）に接続されており、ガイド部材２内に浸入した水は、継手部材３、前記配管、及び、前記排水管を通って排出されるようになっている。
【００４１】
操作機構４は、ガイド部材２の中心軸ＣＬ１方向に沿って延び、当該中心軸ＣＬ１方向に沿って往復移動可能な支持軸４１を備えている。そして、操作ボタン６の後述する被取付部６１３に対し支持軸４１の一端部（上端部）が挿入されることで、支持軸４１に対し操作ボタン６が取付けられている。
【００４２】
尚、支持軸４１の一端部には、その周方向に延びる凹み状の括れ部４１Ａが設けられており、支持軸４１に操作ボタン６を取付けた状態においては、括れ部４１Ａに対し、被取付部６１３の後述する凸部６１３Ａが入り込んだ状態となる。これにより、支持軸４１からの操作ボタン６の抜け防止が図られている。尚、丸穴部は、支持軸４１を貫通するものであってもよい。
【００４３】
また、操作機構４は、その外周に窪み状の被係止部４２を備えている。そして、操作機構４は、被係止部４２に対し前記係止部２１３Ａが係止されるとともに、保持部２１３の内周に挿通され、かつ、保持部２１３へと着座した状態で、ガイド部材２に取付けられている。
【００４４】
伝達部材５は、例えば、金属製のワイヤーにより形成されており、自身の外周に設けられた筒状の外皮５１に対して往復移動可能に構成されている。また、伝達部材５は、一端部が操作機構４に接続され、他端部が浴槽１００の排水口に設けられた栓蓋（図示せず）を支持する栓蓋支持機構（図示せず）に接続されている。
【００４５】
操作ボタン６は、一端側表面が上面部１０１の表面側に位置した状態で、ガイド部材２の内周に配置されている。また、操作ボタン６は、その一端側表面が押圧されることで前記支持軸４１とともに往復移動し、その往復移動時には、その外周面がガイド部材２の内面に沿って移動する。すなわち、操作ボタン６は、ガイド部材２によってその移動がガイドされている。また、操作ボタン６は、常にガイド部材２の内周に位置しており、ガイド部材２から突出しないようになっている。
【００４６】
さらに、操作ボタン６は、その往復移動時に、ガイド部材２のうち金属製である被摺動部２２１の内周面、及び、樹脂製である小径部２１１Ｃの内周面に沿って移動する。換言すれば、ガイド部材２の内面のうち、操作ボタン６の後述するカバー部６２の移動範囲に対応する部位の少なくとも一部は、金属製とされている。
【００４７】
また、操作ボタン６の移動（変位）に伴い支持軸４１が移動（変位）することで、伝達部材５が、外皮５１内を往復移動する。これにより、操作ボタン６の変位が前記栓蓋側に伝達され、栓蓋の上下動ひいては排水口の開閉がなされるようになっている。
【００４８】
さらに、本実施形態において、操作ボタン６は、図２（ａ）〜（ｃ）及び図３（ａ）〜（ｃ）に示すように、所定の樹脂（例えば、ＰＯＭ等）からなる本体部６１と、当該本体部６１の一端部を覆うようにして本体部６１に固定された金属（例えば、アルミニウムやステンレス等）製のカバー部６２とを具備している。
【００４９】
本体部６１は、有頭円筒状をなし、自身の一端側に位置する頭部６１１と、本体部６１の軸（中心軸）ＣＬ２に沿って、頭部６１１の他端部から他端側に向けて延びる筒状の他端側筒部６１２とを有している。
【００５０】
頭部６１１は、その外径が他端側筒部６１２の外径よりも若干小さなものとされている。また、頭部６１１の背面には、他端側に向けて突出する筒状の被取付部６１３が設けられている。被取付部６１３は、上述の通り、支持軸４１に対する操作ボタン６の取付に用いられるものであり、内側に突出する凸部６１３Ａを備えている。さらに、被取付部６１３は、中心軸ＣＬ２方向に延びるスリット部６１３Ｂを有している。支持軸４１に対し操作ボタン６を取付ける際には、スリット部６１３Ｂが拡幅することで、被取付部６１３に対し支持軸４１を挿入しつつ、凸部６１３Ａを前記括れ部４１Ａ内に入り込ませることができるようになっている。
【００５１】
他端側筒部６１２は、その外周に凹部６１２Ａ、摺動部６１２Ｂ及び肩部６１２Ｃを有するとともに、その内周に内側突部６１２Ｄを有している。
【００５２】
凹部６１２Ａは、窪み状をなしており、本実施形態では、本体部６１の中心軸ＣＬ２方向に延び、本体部６１２Ａの他端に至る（他端側筒部６１２の外表部分における一端から他端に貫通する）溝状をなしている。また、凹部６１２Ａは、本体部６１の周方向に沿って間隔を隔てて複数設けられている。本実施形態において、凹部６１２Ａは、本体部６１の周方向に沿って等間隔に３つ設けられている。
【００５３】
さらに、本実施形態では、本体部６１の中心軸ＣＬ２に対し凹部６１２Ａ同士が非対称で設けられており、本体部６１のうち、凹部６１２Ａとの間で中心軸ＣＬ２を挟む位置には、摺動部６１２Ｂが設けられている。
【００５４】
摺動部６１２Ｂは、湾曲面状をなし、本体部６１の周方向に沿って隣り合う凹部６１２Ａ同士の間に位置している。摺動部６１２Ｂを含む仮想面ＶＳ〔図２（ｂ）参照〕は、円筒状をなすように構成されており、操作ボタン６の往復移動時には、摺動部６１２Ｂがガイド部材２（被摺動部２２１）の内周面に沿って移動する。尚、上述した他端側筒部６１２の外径とあるのは、前記仮想面ＶＳの外径をいう。
【００５５】
肩部６１２Ｃは、他端側筒部６１２の一端面により構成されており、頭部６１１の他端と摺動部６１２Ｂの一端との間に位置している。肩部６１２Ｃは、段差状をなしており、カバー部６２よりも外側に位置する部位の一部が、前記中心軸ＣＬ２と直交する方向に延びる平坦状とされている。
【００５６】
内側突部６１２Ｄは、径方向内側に突出する突起であり、本体部６１の周方向に沿った凹部６１２Ａの形成位置に対応して設けられている。本実施形態において、内側突部６１２Ｄは、本体部６１の周方向に沿った凹部６１２Ａの形成位置と同一位置に設けられており、凹部６１２Ａの裏側に位置している。
【００５７】
カバー部６２は、薄肉の金属板により形成されており、操作ボタン６の一端面を構成する平板状の露出部６２１と、露出部６２１の外縁部から前記中心軸ＣＬ２に沿って他端側に向けて延びる円筒状の筒状部６２２と、当該筒状部６２２の他端部から他端側に向けて突出する脚部６２３とを備えている。
【００５８】
露出部６２１は、頭部６１１の一端面を覆い、上面部１０１の表面側に露出している。
【００５９】
筒状部６２２は、頭部６１１の側面（外周面）を覆っている。また、筒状部６２２は、中心軸ＣＬ２に沿って所定値（例えば、２ｍｍ）以上の長さを有しており、他端側筒部６１２（肩部６１２Ｃ）には接触していないものの、他端側筒部６１２（肩部６１２Ｃ）の直近傍位置まで延びている。従って、本実施形態における筒状部６２２は、頭部６１１の側面（外周面）のほぼ全域を覆うものとなっている。
【００６０】
さらに、筒状部６２２の外径は、他端側筒部６１２の外径よりも小さなものとされている。そのため、操作ボタン６の一端側においては、操作ボタン６の外周面とガイド部材２の内周面との間に環状の隙間が形成されている。但し、当該隙間は、筒状部６２２の外周面とガイド部材２の内周面との間に形成され、本体部６１は、前記隙間（筒状部６２２）よりも他端側（奥側）において操作ボタン６の外周に露出することとなる。従って、前記隙間を通して、本体部６１（樹脂部分）を視認することが難しい状態とされている。
【００６１】
脚部６２３は、本体部６１の周方向に沿って等間隔に複数設けられている。より詳しくは、脚部６２３は、本体部６１の周方向に沿った凹部６１２Ａの形成位置に対応する位置に設けられており、本実施形態では、カバー部６２の周方向に沿って等間隔に３つ設けられている。
【００６２】
また、脚部６２３は、中心軸ＣＬ２方向に沿ったその中央部分にて、その他端部（先端部）が内側に向けて屈曲されている。これにより、脚部６２３は、本体部６１のうち凹部６１２Ａを形成する部位へと加締め固定され、ひいては本体部６１に対しカバー部６２が加締め固定されている。
【００６３】
さらに、本実施形態において、筒状部６２２及び脚部６２３のそれぞれの外側面（外周側の表面）は、前記摺動部６１２Ｂよりも内周側（中心軸ＣＬ２側）に位置している。これにより、操作ボタン６の往復移動時には、上述の通り、摺動部６１２Ｂがガイド部材２の内周面に沿って移動し、カバー部６２は、ガイド部材２の内周面に接触しないようになっている。
【００６４】
次いで、本体部６１に対するカバー部６２の固定手法について説明する。
【００６５】
まず、図４（ａ），（ｂ）に示すように、内側突部６１２Ｄに対応する窪み部ＫＢを外周に有する台座ＳＥに対し、本体部６１を装着する。これにより、本体部６１は一定の向きで、かつ、台座ＳＥに対し相対回転不能な状態で配置されることとなる。
【００６６】
次いで、凹部６１２Ａに対し脚部６２３が配置されるようにして、本体部６１に対しカバー部６２を配置する（被せる）。
【００６７】
その後、図４（ｃ）に示すように、所定のパンチＰＵにより、本体部６１の外周側から脚部６２３を押圧して変形させる。これにより、本体部６１のうち凹部６１２Ａを構成する部位へと脚部６２３が加締められ、本体部６１へとカバー部６２が加締め固定される。
【００６８】
以上詳述したように、本実施形態によれば、操作ボタン６にカバー部６２が設けられているため、外観品質の向上を図ることができる。
【００６９】
また、本実施形態では、樹脂製の本体部６１に設けられた摺動部６１２Ｂが、筒状部６２２及び脚部６２３の外側面よりも外周側に位置しており、操作ボタン６の移動時には、摺動部６１２Ｂのみがガイド部材２の内面に沿って移動する。従って、操作ボタン６の移動時において、操作ボタン６とガイド部材２とが接触したときには、樹脂部分（摺動部６１２Ｂ）がガイド部材２の内周面と擦れ合うこととなり、異音の発生をより確実に防止することができる。
【００７０】
さらに、本体部６１に対し、周方向に沿って間隔を隔てて設けられた複数の脚部６２３が加締められることにより、本体部６１にカバー部６２が固定されている。従って、加締め時において、本体部６１やカバー部６２に与える負荷を低減することができる。その結果、加締め時における、本体部６１やカバー部６２における損傷の発生をより確実に防止することができる。
【００７１】
また、操作ボタン６の一端側において操作ボタン６の外周面とガイド部材２の内周面との間に形成される隙間に対応するようにして、カバー部６２には、筒状部６２２が設けられている。そのため、前記隙間を通して、本体部６１（樹脂部分）を視認することが難しくなり、カバー部６２を設けることによる外観品質の向上という作用効果を十分に発揮させることができる。
【００７２】
加えて、本実施形態によれば、凹部６１２Ａは、本体部６１の他端に至る形状であるため、前記隙間に浸入した水が、凹部６１２Ａを通って、操作ボタン６から流れ出やすくなる。従って、肩部６１２Ｃに水が溜まってしまうことを一層確実に防止でき、ひいては衛生性を高めることができる。また、汚れ等の付着抑制が図られることで、手入れ頻度の低減を図ることができる。
【００７３】
さらに、本実施形態では、２つの凹部６１２Ａが本体部６１の中心軸ＣＬ２を挟んで配置されないように構成されている。従って、ガイド部材２に対する操作ボタン６のガタツキ量を低減させることができ、操作性を向上させることができる。
【００７４】
また、加締め時においては、内側突部６１２Ｄを利用することで、本体部６１の回転を抑制することができ、ひいては凹部６１２Ａと脚部６２３とを精度よく位置合わせすることができる。従って、加締め工程をより容易に行うことができ、生産性を高めることができる。
【００７５】
尚、上記実施形態の記載内容に限定されず、例えば次のように実施してもよい。勿論、以下において例示しない他の応用例、変更例も当然可能である。
【００７６】
（ａ）上記実施形態において、肩部６１２Ｃは、カバー部６２よりも外側に位置する部位の一部が前記中心軸ＣＬ２と直交する方向に延びているが、肩部の形状はこれに限定されるものではない。従って、例えば、図５（ａ），（ｂ）に示すように、肩部６１２Ｅのうちカバー部６２よりも外側に位置する部位が、内側から外側に向けて、他端側に傾斜するように構成してもよい（尚、肩部は、傾斜面であってもよいし、湾曲面であってもよい）。この場合には、肩部６１２Ｅに水がより溜まりにくくなり、操作ボタン６に対する汚れ等の付着を効果的に抑制することができる。その結果、衛生性を一層高めることができる。また、衛生性を確保するための手入れ（清掃など）を頻繁に行う必要がなくなり、手入れ頻度の低減を効果的に図ることができる。
【００７７】
（ｂ）上記実施形態において、凹部６１２Ａは、本体部６１の他端に至る（他端側筒部６１２の外表部分における一端から他端に貫通する）溝状をなしているが、凹部の形状はこれに限られるものではない。従って、例えば、図６に示すように、凹部６１２Ｆが本体部６１２Ａの他端に至らないように構成してもよい。
【００７８】
また、上述のように凹部６１２Ｆを構成することで、同図に示すように、摺動部６１２Ｇが、本体部６１の中心軸ＣＬ２方向における少なくとも一部において、本体部６１の周方向に沿って連続するように構成してもよい。つまり、本体部６１の周方向に沿って途切れることのないように摺動部６１２Ｇを構成してもよい。この場合には、ガイド部材２に対する操作ボタン６のガタツキ量を一層低減させることができ、操作性をより高めることができる。
【００７９】
（ｃ）上記実施形態において、内側突部６１２Ｄは、本体部６１の周方向に沿った凹部６１２Ａの形成位置と同一位置に設けられているが、内側突部の形成位置はこれに限定されるものではなく、適宜変更してもよい。また、内側突部６１２Ｄの数についても適宜変更可能である。さらに、内側突部６１２Ｄを設けないこといった構成を採用してもよい。
【００８０】
（ｄ）上記実施形態では、継手部材３の雌ねじ部３Ａにガイド部材２の雄ねじ部２１１Ａを螺合することにより、浴槽１００にガイド部材２等が取付けられているが、浴槽１００に対するガイド部材２等の取付手法は特に限定されるものではない。従って、例えば、ガイド部材２の外周に凸状又は凹状の係合部を設けるとともに、継手部材３の内周に前記係合部の係合可能な凹状又は凸状の被係合部を設け、継手部材３及びガイド部材２により浴槽１００を挟み込んだ状態で、前記被係合部に前記係合部を係合する（例えば、スナップフィット係合する）ことにより、浴槽１００にガイド部材２を取付けることとしてもよい。
【００８１】
（ｅ）上記実施形態では、パンチＰＵにより、本体部６１の外周側から脚部６２３を押圧して変形させることで、本体部６１にカバー部６２が加締め固定されているが、所定のパンチにより、前記中心軸ＣＬ２方向に脚部６２３を押圧することで、本体部６１にカバー部６２を加締め固定することとしてもよい。この場合には、前記パンチを、本体部６１の他端から凹部６１２Ａを通るようにして、中心軸ＣＬ２方向に移動させることで、脚部６２３を押圧変形させることができる。従って、前記パンチは、本体部６１の中心軸ＣＬ２方向に移動可能なものであれば足りる。そのため、製造コストの低減を図ることができ、ひいては生産性の更なる向上を図ることができる。
【００８２】
（ｆ）上記実施形態において、操作ボタン６は円筒状をなしているが、操作ボタン６の形状はこれに限定されるものではない。従って、例えば、操作ボタン６を角筒状としてもよい。また、操作ボタンの形状に合わせて、ガイド部材２の形状を適宜変更してもよい。
【００８３】
（ｇ）凹部６１２Ａの形成位置は、上記実施形態のものに限られず、適宜変更してもよい。従って、例えば、本体部６１の中心軸ＣＬ２に対して凹部６１２Ａが対称に設けられるように構成してもよい。
【００８４】
また、凹部は、複数であればよく、その数は特に限定されるものではない。従って、例えば、本体部６１の周方向に沿って等間隔に４つ、又は、５つの凹部を設けることとしてもよい。
【００８５】
（ｈ）上記実施形態では、ガイド部材２により操作機構４が保持されているが、継手部材３などのその他の部材によって操作機構４を保持することとしてもよい。
【００８６】
（ｉ）ガイド部材は、その内面のうち、カバー部６２の移動範囲に対応する部位の少なくとも一部が金属製であればよく、必ずしも上記実施形態のように、樹脂製の接続保持部２１と、金属製のフランジ部２２とを備えていなくてもよい。従って、例えば、ガイド部材の全体を金属により形成してもよい。
【００８７】
（ｊ）上記実施形態において、操作装置１は、取付対象物としての浴槽１００に取付けられているが、操作装置１の取付対象は浴槽１００に限られるものではなく、例えば、浴槽以外の槽体（例えば、洗面器や流し台など）であってもよい。また、槽体の近傍に設けられた構造物（例えば、流し台のカウンタ等）に対し操作装置１を取付けることとしてもよい。
【符号の説明】
【００８８】
１…操作装置、２…ガイド部材、５…伝達部材、６…操作ボタン、６１…本体部、６２…カバー部、１００…浴槽（取付対象物）、１０２…貫通孔、６１１…頭部、６１２Ａ…凹部、６１２Ｂ…摺動部、６１２Ｃ…肩部、６１２Ｄ…内側突部、６２１…摺動部、６２２…筒状部、６２３…脚部、ＣＬ２…（本体部の）中心軸。
【図１】
2016048003.tif 000003
【図２】
2016048003.tif 000004
【図３】
2016048003.tif 000005
【図４】
2016048003.tif 000006
【図５】
2016048003.tif 000007
【図６】
2016048003.tif 000008